(57)【特許請求の範囲】
【請求項１】
押圧ボトル及び泡ポンプ体を含み、当該泡ポンプ体が当該押圧ボトル内に挿設され、当該押圧ボトル内に液体が充填され、使用時には、当該押圧ボトルに外力を付勢するとともに、当該泡ポンプ体を動作させることで、当該押圧式泡ポンプにより気液混合を発生させて使用可能とし、
当該泡ポンプ体は、スクリューキャップ、弁固定台、分流器及びパドル弁を含み、当該スクリューキャップは、当該泡ポンプ体を当該押圧ボトルに接続するように当該押圧ボトルに覆設され、当該スクリューキャップの上部には気液泡出口が開設され、当該弁固定台が当該スクリューキャップに挿設され、当該弁固定台の中央に気液通路が設けられ、当該気液通路が当該気液泡出口と連通し、当該気液通路の上部であって、当該スクリューキャップと当該弁固定台との間にはフィルタが設けられ、当該フィルタの内部空間には第２混合エリアが形成されており、当該フィルタの底部と当該弁固定台との間に第１混合エリアが形成されており、
当該押圧ボトルには気水置換ダクトの下端が挿設され、当該気水置換ダクトの上部と分流器が接続され、当該分流器が当該弁固定台に挿設され、当該パドル弁は、当該分流器と当該弁固定台の間に挟設され、当該パドル弁はインナーパドルとアウターパドルを含み、当該弁固定台の四方には戻り孔が設けられ、当該アウターパドルが動作可能に当該戻り孔の下方に覆設され、
当該分流器は、給液孔、給気孔及び分流器戻り孔を備え、当該インナーパドルは当該給液孔と当該給気孔の上部に動作可能に覆設され、当該給液孔及び当該給気孔は、当該弁固定台に対向するように当該分流器の上部に設けられ、当該分流器戻り孔は当該分流器の四方に設けられることを特徴とする押圧式泡ポンプ。
【請求項２】
当該パドル弁は更に接続リブを含み、当該インナーパドル及び当該アウターパドルはそれぞれ当該接続リブの内外両側に設けられることを特徴とする請求項１記載の押圧式泡ポンプ。
【請求項３】
当該給気孔は、当該分流器戻り孔と連通することを特徴とする請求項１記載の押圧式泡ポンプ。
【請求項４】
当該押圧式泡ポンプは更に押圧蓋を含み、当該押圧式泡ポンプが非動作状態の場合、当該押圧蓋は当該スクリューキャップの上部に覆設されて、当該気液泡出口に圧設されることで密封作用を奏することを特徴とする請求項１記載の押圧式泡ポンプ。
【請求項５】
当該押圧式泡ポンプの動作時には、当該押圧ボトルに対し外力を付勢することで当該押圧ボトルを押圧し、このとき、当該押圧ボトル内の液体は当該押圧力を受けて当該気水置換ダクト沿いに上昇し、当該給液孔内に到達すると、更に当該パドル弁の当該インナーパドルを押し開けて当該第１混合エリア内に進み、同時に、当該弁固定台と当該分流器との間の気体が、当該押圧力を受けて当該給気孔まで進み、当該パドル弁の当該インナーパドルを押し開けて当該第１混合エリア内に進み、当該第１混合エリア内において、当該液体と当該気体とが初歩的に混合されて気液混合体が形成され、当該気液混合体が引き続き上昇して当該第２混合エリアに進入し、当該フィルタを通過する過程で泡気液混合体が形成され、最終的に当該気液泡出口から噴出して使用に供されることを特徴とする請求項１記載の押圧式泡ポンプ。
【請求項６】
当該押圧ボトルに作用する当該外力が除去されると、当該押圧ボトル自身の変形回復力によって生じる内向きの吸引力により、当該インナーパドルが当該給液孔と当該給気孔を同時に押圧被覆して、当該給液孔及び当該給気孔を密封し、同時に、当該アウターパドルが当該戻り孔から開放されて、当該弁固定台外部の空気が、当該戻り孔から当該弁固定台と当該分流器の間に進入するとともに、更に、当該分流器戻り孔及び当該気水置換ダクトを通じて当該押圧ボトル内に進入して、当該押圧ボトルを初期状態に回復させることで、循環・往復がなされることを特徴とする請求項５記載の押圧式泡ポンプ。
【請求項７】
押圧式泡ポンプによる泡発生方法は、
第１ステップとして、押圧蓋を押圧式泡ポンプから取り外し、当該押圧式泡ポンプは押圧ボトルと泡ポンプ体を含み、当該泡ポンプ体が当該押圧ボトルに挿設され、当該押圧ボトルに液体が充填されており、当該泡ポンプ体は、スクリューキャップ、弁固定台、分流器及びパドル弁を含み、当該スクリューキャップは、当該泡ポンプ体を当該押圧ボトルに接続するように当該押圧ボトルに覆設され、当該スクリューキャップの上部には気液泡出口が開設され、当該弁固定台が当該スクリューキャップに挿設され、当該弁固定台の中央には気液通路が設けられ、当該気液通路が当該気液泡出口と連通し、当該気液通路の上部であって、当該スクリューキャップと当該弁固定台との間にはフィルタが設けられ、当該フィルタの内部空間には第２混合エリアが形成されており、当該フィルタの底部と当該弁固定台との間に第１混合エリアが形成されており、
当該押圧ボトルには気水置換ダクトの下端が挿設され、当該気水置換ダクトの上部と当該分流器が接続され、当該分流器が当該弁固定台に挿設され、当該パドル弁は当該分流器と当該弁固定台の間に挟設され、当該パドル弁はインナーパドルとアウターパドルを含み、当該弁固定台の四方には戻り孔が設けられ、当該アウターパドルが動作可能に当該戻り孔の下方に覆設され、当該分流器は、給液孔、給気孔及び分流器戻り孔を備え、当該インナーパドルは当該給液孔と当該給気孔の上部に動作可能に覆設され、当該給液孔及び当該給気孔は、当該弁固定台に対向するように当該分流器の上部に設けられ、当該分流器戻り孔は当該分流器の四方に設けられ、
第２ステップとして、当該押圧ボトルに対し外力を付勢することで当該押圧ボトルを押圧し、このとき、当該押圧ボトル内の液体は当該押圧力を受けて当該気水置換ダクト沿いに上昇し、当該給液孔内に到達すると、更に当該パドル弁の当該インナーパドルを押し開けて当該第１混合エリア内に進み、
同時に、当該弁固定台と当該分流器との間の気体が、当該押圧力を受けて当該給気孔まで進み、当該パドル弁の当該インナーパドルを押し開けて当該第１混合エリア内に進み、
当該第１混合エリア内において、当該液体と当該気体とが初歩的に混合されて気液混合体が形成され、当該気液混合体が引き続き上昇して当該第２混合エリアに進入し、当該フィルタを通過する過程で泡気液混合体が形成され、最終的に当該気液泡出口から噴出し、
第３ステップとして、当該押圧ボトルに作用する当該外力が除去されると、当該押圧ボトル自身の変形回復力によって生じる内向きの吸引力により、当該インナーパドルが当該給液孔と当該給気孔を同時に押圧被覆することにより、当該給液孔及び当該給気孔が密封され、
同時に、当該アウターパドルが当該戻り孔から開放されて、当該弁固定台外部の空気が、当該戻り孔から当該弁固定台と当該分流器の間に進入するとともに、更に、当該分流器戻り孔及び当該気水置換ダクトを通じて当該押圧ボトル内に進入して、当該押圧ボトルを初期状態に回復させることで、循環・往復がなされる、ことを特徴とする方法。  
【発明の詳細な説明】
【技術分野】
【０００１】
本発明は、泡ポンプ及び泡ポンプによる泡発生方法に関し、特に、押圧によって気液混合泡を取得可能な泡ポンプ及び泡発生方法に関する。
【背景技術】
【０００２】
周知のように、社会の進歩に伴い、現在では人々の日常生活を便利にするツールが暮らしの中で広く活用されている。昨今、人々は自身の健康や衛生問題に関心を寄せるようになっており、身体を清潔に保つために、手洗いや洗顔、入浴の際に洗浄液を用いることが習慣化されている。そのため、人々のニーズを満たすべく、今では多くの洗顔フォームやハンドソープ、ボディーソープ等の洗浄液が市販されている。また、充填や使用に便利なよう、これらの液体は一般的にボトル類の容器に充填されており、具体的に使用する際にはこれらの液体が一定量注ぎ出されることにより、洗浄使用の目的が達せられる。初期の頃はこれら液体を使用する際、液体が収容された容器を手動で一定角度傾けることで自然に液体を流出させ、使用目的を達成していた。しかし、このような方式では十分に便利とはいえず、無駄な注ぎ出しが度々発生していた。そこで、このような問題を解消するために、現在ではこれら液体を収容する容器の上部に押圧ポンプ体を追加することが一般的となっている。具体的に使用する際には、上部の当該ポンプ体を押圧することで液体を定量だけ押し出せばよいため、使いやすい。
【０００３】
しかし、現在市販されているこれらの押圧ポンプ体には、押し出し方式が非合理的、泡発生効果が良好でない、構造が複雑、機能が不安定といった問題が広く存在しており、これらが従来技術における主な欠点となっている。このほか、上述した類の押圧ポンプ体は、現在染毛剤やキッチン洗剤等の分野にも広く応用されているが、やはり具体的に使用する際に同様の問題が存在している。
【発明の概要】
【発明が解決しようとする課題】
【０００４】
本発明は、発生する泡が豊富できめ細かく、押圧ボトル或いは押圧気嚢状物の変形量に応じて発生する泡の多寡を自在に制御可能であるとともに、全体構造が単純且つ機能が安定しており、使用しやすい押圧式泡ポンプ及び泡ポンプによる泡発生方法を提供することを主な目的とする。
【課題を解決するための手段】
【０００５】
本発明では、以下の技術方案を用いた。即ち、押圧式泡ポンプであって、押圧ボトル及び泡ポンプ体を含み、当該泡ポンプ体が当該押圧ボトル内に挿設され、当該押圧ボトル内に液体が充填され、使用時には、当該押圧ボトルに外力を付勢するとともに、当該泡ポンプ体を動作させることで、当該押圧式泡ポンプにより気液混合を発生させて使用可能とする。
【０００６】
当該泡ポンプ体は、スクリューキャップ、弁固定台、分流器及びパドル弁を含み、当該スクリューキャップは、当該泡ポンプ体を当該押圧ボトルに接続するように当該押圧ボトルに覆設され、当該スクリューキャップの上部には気液泡出口が開設され、当該弁固定台が当該スクリューキャップに挿設され、当該弁固定台の中央に気液通路が設けられ、当該気液通路が当該気液泡出口と連通し、当該気液通路の上部であって、当該スクリューキャップと当該弁固定台との間にはフィルタが設けられ、当該フィルタの内部空間には第２混合エリアが形成されており、当該フィルタの底部と当該弁固定台との間に第１混合エリアが形成されている。
【０００７】
当該押圧ボトルには気水置換ダクトの下端が挿設され、当該気水置換ダクトの上部と分流器が接続され、当該分流器が当該弁固定台に挿設され、当該パドル弁は、当該分流器と当該弁固定台の間に挟設され、当該パドル弁はインナーパドルとアウターパドルを含み、当該弁固定台の四方には戻り孔が設けられ、当該アウターパドルが動作可能に当該戻り孔の下方に覆設される。
【０００８】
当該分流器は、給液孔、給気孔及び分流器戻り孔を備え、当該インナーパドルは当該給液孔と当該給気孔の上部に動作可能に覆設され、当該給液孔及び当該給気孔は、当該弁固定台に対向するように当該分流器の上部に設けられ、当該分流器戻り孔は当該分流器の四方に設けられる。
【０００９】
押圧式泡ポンプによる泡発生方法は、以下のステップを含む。
【００１０】
第１ステップとして、押圧蓋を押圧式泡ポンプから取り外し、当該押圧式泡ポンプは押圧ボトルと泡ポンプ体を含み、当該泡ポンプ体が当該押圧ボトルに挿設され、当該押圧ボトルに液体が充填されており、当該泡ポンプ体は、スクリューキャップ、弁固定台、分流器及びパドル弁を含み、当該スクリューキャップは、当該泡ポンプ体を当該押圧ボトルに接続するように当該押圧ボトルに覆設され、当該スクリューキャップの上部には気液泡出口が開設され、当該弁固定台が当該スクリューキャップに挿設され、当該弁固定台の中央には気液通路が設けられ、当該気液通路が当該気液泡出口と連通し、当該気液通路の上部であって、当該スクリューキャップと当該弁固定台との間にはフィルタが設けられ、当該フィルタの内部空間には第２混合エリアが形成されており、当該フィルタの底部と当該弁固定台との間に第１混合エリアが形成されている。
【００１１】
当該押圧ボトルには気水置換ダクトの下端が挿設され、当該気水置換ダクトの上部と当該分流器が接続され、当該分流器が当該弁固定台に挿設され、当該パドル弁は当該分流器と当該弁固定台の間に挟設され、当該パドル弁はインナーパドルとアウターパドルを含み、当該弁固定台の四方には戻り孔が設けられ、当該アウターパドルが動作可能に当該戻り孔の下方に覆設され、当該分流器は、給液孔、給気孔及び分流器戻り孔を備え、当該インナーパドルは当該給液孔と当該給気孔の上部に動作可能に覆設され、当該給液孔及び当該給気孔は、当該弁固定台に対向するように当該分流器の上部に設けられ、当該分流器戻り孔は当該分流器の四方に設けられる。
【００１２】
第２ステップとして、当該押圧ボトルに対し外力を付勢することで当該押圧ボトルを押圧し、このとき、当該押圧ボトル内の液体は当該押圧力を受けて当該気水置換ダクト沿いに上昇し、当該給液孔内に到達すると、更に当該パドル弁の当該インナーパドルを押し開けて当該第１混合エリア内に進み、同時に、当該弁固定台と当該分流器との間の気体が、当該押圧力を受けて当該給気孔まで進み、当該パドル弁の当該インナーパドルを押し開けて当該第１混合エリア内に進み、当該第１混合エリア内において、当該液体と当該気体とが初歩的に混合されて気液混合体が形成され、当該気液混合体が引き続き上昇して当該第２混合エリアに進入し、当該フィルタを通過する過程で泡気液混合体が形成され、最終的に当該気液泡出口から噴出する。
【００１３】
第３ステップとして、当該押圧ボトルに作用する当該外力が除去されると、当該押圧ボトル自身の変形回復力によって生じる内向きの吸引力により、当該インナーパドルが当該給液孔と当該給気孔を同時に押圧被覆することにより、当該給液孔及び当該給気孔が密封され、同時に、当該アウターパドルが当該戻り孔から開放されて、当該弁固定台外部の空気が、当該戻り孔から当該弁固定台と当該分流器の間に進入するとともに、更に、当該分流器戻り孔及び当該気水置換ダクトを通じて当該押圧ボトル内に進入して、当該押圧ボトルを初期状態に回復させることで循環・往復がなされる。
【発明の効果】
【００１４】
本発明は、以下の有益な効果を含む。即ち、本発明の泡ポンプを用いれば、発生する泡が豊富できめ細かく、押圧ボトル或いは押圧気嚢状物の変形量に応じて発生する泡の多寡を自在に制御可能であるとともに、全体構造が単純且つ機能が安定しており、使用しやすい。
【図面の簡単な説明】
【００１５】
【図１】図１は、本発明の構造を示す図である。
【図２】図２は、本発明の給液を示す図である。
【図３】図３は、本発明の給気を示す図である。
【発明を実施するための形態】
【００１６】
図１〜図３に示すように、押圧式泡ポンプは、押圧ボトル１００及び泡ポンプ体２００を含む。当該泡ポンプ体２００は当該押圧ボトル１００内に挿設される。また、当該押圧ボトル１００には、ハンドソープ、ボディーソープなどの液体が充填される。使用時には、当該押圧ボトル１００に外力を付勢するとともに、当該泡ポンプ体２００を動作させることで、当該押圧式泡ポンプにより気液混合泡を発生させて使用に供する。
【００１７】
当該泡ポンプ体２００は、スクリューキャップ１０、弁固定台２０、分流器７０及びパドル弁４０を含む。当該スクリューキャップ１０は、当該泡ポンプ体２００を当該押圧ボトル１００に接続するように当該押圧ボトル１００に覆設される。
【００１８】
当該スクリューキャップ１０の上部には気液泡出口１１が開設されている。また、当該弁固定台２０が当該スクリューキャップ１０に挿設される。当該弁固定台２０の中央には気液通路が設けられ、当該気液通路が当該気液泡出口１１と連通する。
【００１９】
当該気液通路の上部であって、当該スクリューキャップ１０と当該弁固定台２０との間にはフィルタ５０が設けられる。当該フィルタ５０の内部空間には第２混合エリア１０２が形成されており、当該フィルタ５０の底部と当該弁固定台２０との間に第１混合エリア１０１が形成されている。
【００２０】
当該押圧ボトル１００には気水置換ダクト６０の下端が挿設され、当該気水置換ダクト６０の上部と当該分流器７０が接続される。また、当該分流器７０は当該弁固定台２０に挿設される。
【００２１】
当該パドル弁４０は、当該分流器７０と当該弁固定台２０の間に挟設される。当該パドル弁４０は、インナーパドル４１とアウターパドル４２を含む。具体的な実施時において、当該パドル弁４０は更に接続リブ４３を含み、当該インナーパドル４１と当該アウターパドル４２がそれぞれ当該接続リブ４３の内外両側に設けられる。当該弁固定台２０の四方には戻り孔１０３が設けられ、当該戻り孔１０３の下方に当該アウターパドル４２が動作可能に覆設される。
【００２２】
当該分流器７０は、給液孔１０４、給気孔１０５及び分流器戻り孔１０６を備える。当該インナーパドル４１は、当該給液孔１０４と当該給気孔１０５の上部に動作可能に覆設される。当該給液孔１０４及び当該給気孔１０５は、当該弁固定台２０に対向するように当該分流器７０の上部に設けられ、当該分流器戻り孔１０６は当該分流器７０の四方に設けられる。具体的な実施時において、当該給気孔１０５と当該分流器戻り孔１０６は互いに連通する。
【００２３】
具体的な実施時において、当該押圧式泡ポンプは更に押圧蓋８０を含む。当該押圧式泡ポンプが非動作状態の場合、当該押圧蓋８０は当該スクリューキャップ１０の上部に覆設されて、当該気液泡出口１１に圧設されることで密封作用を奏する。
【００２４】
当該押圧式泡ポンプの動作時には、当該押圧ボトル１００に対し外力を付勢することで当該押圧ボトル１００を押圧する。このとき、当該押圧ボトル１００内の液体は、当該押圧力を受けて当該気水置換ダクト６０沿いに上昇する。そして、当該給液孔１０４内に到達すると、更に当該パドル弁４０の当該インナーパドル４１を押し開けて、当該第１混合エリア１０１内に進む（図２の矢印参照）。
【００２５】
同時に、当該弁固定台２０と当該分流器７０との間の気体が、当該押圧力を受けて当該給気孔１０５まで進む。そして、当該パドル弁４０の当該インナーパドル４１を押し開けて、当該第１混合エリア１０１内に進む（図３の矢印参照）。
【００２６】
当該第１混合エリア１０１内において、当該液体と当該気体とが初歩的に混合されて気液混合体が形成される。当該気液混合体は引き続き上昇して当該第２混合エリア１０２に進入し、当該フィルタ５０を通過する過程で泡気液混合体が形成される。そして、最終的には当該気液泡出口１１から噴出し、使用に供される。
【００２７】
当該押圧ボトル１００に作用する当該外力が除去されると、当該押圧ボトル１００自身の変形回復力によって生じる内向きの吸引力により、当該インナーパドル４１が当該給液孔１０４と当該給気孔１０５を同時に押圧被覆する。これにより、当該給液孔１０４及び当該給気孔１０５が密封される。
【００２８】
同時に、当該アウターパドル４２が当該戻り孔１０３から開放されて、当該弁固定台２０外部の空気が、当該戻り孔１０３から当該弁固定台２０と当該分流器７０の間に進入するとともに、更に、当該分流器戻り孔１０６及び当該気水置換ダクト６０を通じて当該押圧ボトル１００内に進入して、当該押圧ボトル１００を初期状態に回復させる。以上のようにして循環・往復がなされる。
【００２９】
押圧式泡ポンプによる泡発生方法は、次のステップを含む。
【００３０】
第１ステップとして、押圧蓋８０を押圧式泡ポンプから取り外す。当該押圧式泡ポンプは、押圧ボトル１００と泡ポンプ体２００を含む。当該泡ポンプ体２００は当該押圧ボトル１００内に挿設される。また、当該押圧ボトル１００には液体が充填されている。
【００３１】
当該泡ポンプ体２００は、スクリューキャップ１０、弁固定台２０、分流器７０及びパドル弁４０を含む。当該スクリューキャップ１０は、当該泡ポンプ体２００を当該押圧ボトル１００に接続するように当該押圧ボトル１００に覆設される。当該スクリューキャップ１０の上部には気液泡出口１１が開設されている。また、当該弁固定台２０が当該スクリューキャップ１０に挿設される。当該弁固定台２０の中央には気液通路が設けられ、当該気液通路が当該気液泡出口１１と連通する。当該気液通路の上部であって、当該スクリューキャップ１０と当該弁固定台２０との間にはフィルタ５０が設けられる。当該フィルタ５０の内部空間には第２混合エリア１０２が形成されており、当該フィルタ５０の底部と当該弁固定台２０との間に第１混合エリア１０１が形成されている。
【００３２】
当該押圧ボトル１００には気水置換ダクト６０の下端が挿設され、当該気水置換ダクト６０の上部と分流器７０が接続される。また、当該分流器７０は当該弁固定台２０に挿設される。当該パドル弁４０は、当該分流器７０と当該弁固定台２０の間に挟設される。当該パドル弁４０は、インナーパドル４１とアウターパドル４２を含む。当該弁固定台２０の四方には戻り孔１０３が設けられ、当該アウターパドル４２が動作可能に当該戻り孔１０３の下方に覆設される。
【００３３】
当該分流器７０は、給液孔１０４、給気孔１０５及び分流器戻り孔１０６を備える。当該インナーパドル４１は、当該給液孔１０４と当該給気孔１０５の上部に動作可能に覆設される。当該給液孔１０４及び当該給気孔１０５は、当該弁固定台２０に対向するように当該分流器７０の上部に設けられ、当該分流器戻り孔１０６は当該分流器７０の四方に設けられる。
【００３４】
第２ステップとして、当該押圧ボトル１００に対し外力を付勢することで当該押圧ボトル１００を押圧する。このとき、当該押圧ボトル１００内の液体は当該押圧力を受けて当該気水置換ダクト６０沿いに上昇する。そして、当該給液孔１０４内に到達すると、更に当該パドル弁４０の当該インナーパドル４１を押し開けて、当該第１混合エリア１０１内に進む。
【００３５】
同時に、当該弁固定台２０と当該分流器７０との間の気体が、当該押圧力を受けて当該給気孔１０５まで進む。そして、当該パドル弁４０の当該インナーパドル４１を押し開けて、当該第１混合エリア１０１内に進む。
【００３６】
当該第１混合エリア１０１内において、当該液体と当該気体とが初歩的に混合されて気液混合体が形成される。当該気液混合体は引き続き上昇して当該第２混合エリア１０２に進入し、当該フィルタ５０を通過する過程で泡気液混合体が形成される。そして、最終的には当該気液泡出口１１から噴出する。
【００３７】
第３ステップとして、当該押圧ボトル１００に作用する当該外力が除去されると、当該押圧ボトル１００自身の変形回復力によって生じる内向きの吸引力により、当該インナーパドル４１が当該給液孔１０４と当該給気孔１０５を同時に押圧被覆する。これにより、当該給液孔１０４及び当該給気孔１０５が密封される。
【００３８】
同時に、当該アウターパドル４２が当該戻り孔１０３から開放されて、当該弁固定台２０外部の空気が、当該戻り孔１０３から当該弁固定台２０と当該分流器７０の間に進入するとともに、更に、当該分流器戻り孔１０６及び当該気水置換ダクト６０を通じて当該押圧ボトル１００内に進入して、当該押圧ボトル１００を初期状態に回復させる。以上のようにして循環・往復がなされる。
【図１】
0006292426.tif 000002
【図２】
0006292426.tif 000003
【図３】
0006292426.tif 000004